(57)【要約】    【課題】携帯電話端末の個人ユーザーに携帯電話端末内で提供される多くの機能のそれぞれがどの程度の利用状況であるかをサプライヤーにフィードバックさせマーケティングデータとして活用できるようにする。    【解決手段】携帯電話端末に内蔵されたコンピュータを、携帯電話端末の各種機能の使用回数をカウントする使用回数カウント手段、そのカウントデータを実行履歴情報として記録する実行履歴格納手段、実行履歴情報をセンターのサーバーコンピュータに送信する実行履歴情報送信手段として機能させ、インターネット上に提供されたセンター情報処理サイトを構築するサーバーコンピュータを、携帯電話端末から送信された実行履歴情報を受信し収集する実行履歴情報収集手段として機能させる。実行履歴情報送信手段は、実行履歴情報を送信する前に使用者の承諾を得るプロセスを有し、実行履歴格納手段は、各機能の実施回数を記録する前に使用者からの入力情報に基づいて実行履歴を蓄積するか否かの設定を行う。【選択図】  図２
2007228109.tif 000002
【特許請求の範囲】
【請求項１】
様々な機能を持つインターネット対応の携帯電話端末であって、携帯電話端末に内蔵されたコンピュータに、該コンピュータを、携帯電話端末の各種機能を実施するための実行プログラムを実行するごとにその使用回数をカウントする使用回数カウント手段、実行プログラムの使用回数を実行プログラムごとに実行履歴情報として記録する実行履歴格納手段、前記実行履歴情報をインターネット上に情報処理サイトを構築するサーバーコンピュータに送信する実行履歴情報送信手段として機能させる機能使用情報処理プログラムを組み込んだことを特徴とする携帯電話端末。
【請求項２】
前記実行履歴情報送信手段は、前記実行履歴情報を送信する前に使用者の承諾を得るプロセスを有することを特徴とする請求項１記載の携帯電話端末。
【請求項３】
前記実行履歴格納手段は、各機能の実施回数を記録する前に使用者からの入力情報に基づいて実行履歴を蓄積するか否かの設定を行うようにしたことを特徴とする請求項１又は請求項２に記載の携帯電話端末。
【請求項４】
携帯電話端末のさまざまな機能の使用頻度情報を、インターネット上に情報処理サイトを構築するサーバーコンピュータに送信する携帯電話端末の機能使用情報処理プログラムであって、携帯電話端末に内蔵されたコンピュータを、
携帯電話端末の各種機能を実施するための実行プログラムを実行するごとにその使用回数をカウントする使用回数カウント手段、
実行プログラムの使用回数を実行プログラムごとに実行履歴情報として記録する実行履歴格納手段、
前記実行履歴情報を情報処理サイトを構築するサーバーコンピュータに送信する実行履歴情報送信手段
として機能させたことを特徴とする携帯電話端末の機能使用情報処理プログラム。
【請求項５】
携帯電話端末のさまざまな機能の使用頻度情報を、インターネット上に情報処理サイトを構築するサーバーコンピュータに送信する携帯電話端末の機能使用情報処理プログラムであって、携帯電話端末に内蔵されたコンピュータを、
携帯電話端末の各種機能を実施するための実行プログラムを実行するごとにその使用回数をカウントする使用回数カウント手段、
実行プログラムの使用回数を実行プログラムごとに実行履歴情報として記録する実行履歴格納手段、
前記実行履歴情報を情報処理サイトを構築するサーバーコンピュータに送信する実行履歴情報送信手段
として機能させ、
前記サーバーコンピュータを、前記携帯電話端末から送信された実行履歴情報を受信し収集する実行履歴情報収集手段として機能させたたことを特徴とする携帯電話端末の機能使用情報処理プログラム。
【請求項６】
前記実行履歴情報送信手段は、前記実行履歴情報を送信する前に使用者の承諾を得るプロセスを有することを特徴とする請求項４又は請求項５に記載の携帯電話端末の機能使用情報処理プログラム。
【請求項７】
前記実行履歴格納手段は、各機能の実施回数を記録する前に使用者からの入力情報に基づいて実行履歴を蓄積するか否かの設定を行うようにしたことを特徴とする請求項４乃至請求項６の中のいずれか１つの請求項に記載の携帯電話端末の機能使用情報処理プログラム。
【請求項８】
携帯電話端末のさまざまな機能の使用頻度情報を、インターネット上に情報処理サイトを構築するサーバーコンピュータに送信し、該サーバーコンピュータが多数の携帯電話端末のさまざまな機能の使用頻度情報を収集できるようにした携帯電話端末の機能使用情報処理システムであって、携帯電話端末に内蔵されたコンピュータを、
携帯電話端末の各種機能を実施するための実行プログラムを実行するごとにその使用回数をカウントする使用回数カウント手段、
実行プログラムの使用回数を実行プログラムごとに実行履歴情報として記録する実行履歴格納手段、
前記実行履歴情報を情報処理サイトを構築するサーバーコンピュータに送信する実行履歴情報送信手段として機能させ、
インターネット上に情報処理サイトを構築するサーバーコンピュータを、前記携帯電話端末から送信された実行履歴情報を受信し収集する実行履歴情報収集手段として機能させたことを特徴とする携帯電話端末の機能使用情報処理システム。
【請求項９】
前記実行履歴情報送信手段は、前記実行履歴情報を送信する前に使用者の承諾を得るプロセスを有することを特徴とする請求項８に記載の携帯電話端末の機能使用情報処理システム。
【請求項１０】
前記実行履歴格納手段は、各機能の実施回数を記録する前に使用者からの入力情報に基づいて実行履歴を蓄積するか否かの設定を行うようにしたことを特徴とする請求項８又は請求項９に記載の携帯電話端末の機能使用情報処理システム。
【発明の詳細な説明】
【技術分野】
【０００１】
本発明は、インターネット対応の携帯電話端末及び携帯電話端末の機能使用情報処理プログラム及びそのシステムに関する。
【背景技術】
【０００２】
従来、受信装置上で視聴者がチャンネルを切り替えた旨の情報などのチャンネル切り替えに関する情報等の受信装置上で視聴者が行った操作履歴に関する情報である動作情報を送信し、これらの情報を蓄積、利用する送受信システムが知られている（例えば特許文献１参照）。
【特許文献１】特開２００１−１６９２６７号公報
【発明の開示】
【発明が解決しようとする課題】
【０００３】
市販されている携帯電話端末はさまざまな機能を持っている。電話会社や端末のメーカーなど携帯電話のサプライヤーにとって、端末のさまざまな機能の中で、多数のユーザーが、どの機能をどのくらいの頻度で使っているかの情報は、マーケティングデータとして極めて利用価値の高い情報であることは言うまでもない。しかるに、現在、上記のような、携帯電話端末の多くの機能の使用頻度に関する情報をサプライヤーに提供するサービスやシステムが存在しない。
本発明は、個人ユーザーの携帯電話端末内で提供される多くの機能のそれぞれがどの程度の利用状況であるかをサプライヤーにフィードバックさせ、マーケティングデータとして活用できるようにすることを目的とするものである。        
【課題を解決するための手段】
【０００４】
上記目的を達成するため本発明は、様々な機能を持つインターネット対応の携帯電話端末であって、携帯電話端末に内蔵されたコンピュータに、該コンピュータを、携帯電話端末の各種機能を実施するための実行プログラムを実行するごとにその使用回数をカウントする使用回数カウント手段、実行プログラムの使用回数を実行プログラムごとに実行履歴情報として記録する実行履歴格納手段、前記実行履歴情報をインターネット上に情報処理サイトを構築するサーバーコンピュータに送信する実行履歴情報送信手段として機能させる機能使用情報処理プログラムを組み込んだものである。
また本発明は、携帯電話端末のさまざまな機能の使用頻度情報を、インターネット上に情報処理サイトを構築するサーバーコンピュータに送信する携帯電話端末の機能使用情報処理プログラムであって、携帯電話端末に内蔵されたコンピュータを、
携帯電話端末の各種機能を実施するための実行プログラムを実行するごとにその使用回数をカウントする使用回数カウント手段、
実行プログラムの使用回数を実行プログラムごとに実行履歴情報として記録する実行履歴格納手段、
前記実行履歴情報を情報処理サイトを構築するサーバーコンピュータに送信する実行履歴情報送信手段
として機能させ、
前記サーバーコンピュータを、前記携帯電話端末から送信された実行履歴情報を受信し収集する実行履歴情報収集手段として機能させたものである。
また本発明は、携帯電話端末のさまざまな機能の使用頻度情報を、インターネット上に情報処理サイトを構築するサーバーコンピュータに送信し、該サーバーコンピュータが多数の携帯電話端末のさまざまな機能の使用頻度情報を収集できるようにした携帯電話端末の機能使用情報処理システムであって、携帯電話端末に内蔵されたコンピュータを、
携帯電話端末の各種機能を実施するための実行プログラムを実行するごとにその使用回数をカウントする使用回数カウント手段、
実行プログラムの使用回数を実行プログラムごとに実行履歴情報として記録する実行履歴格納手段、
前記実行履歴情報を情報処理サイトを構築するサーバーコンピュータに送信する実行履歴情報送信手段
として機能させ、
インターネット上に構築された情報処理サイトを構築するサーバーコンピュータを、
前記携帯電話端末から送信された実行履歴情報を受信し収集する実行履歴情報収集手段として機能させたものである。
また本発明は、前記実行履歴情報送信手段は、前記実行履歴情報を送信する前に使用者の承諾を得るプロセスを有することを特徴とする。
また本発明は、前記実行履歴格納手段は、各機能の実施回数を記録する前に使用者からの入力情報に基づいて実行履歴を蓄積するか否かの設定を行うようにしたことを特徴とする。
【発明の効果】
【０００５】
本発明は、携帯電話端末の多くの機能のそれぞれがどの程度の利用状況であるかをサプライヤー側が知ることができ、それをマーケティングデータ等として活用することができる。
【発明を実施するための最良の形態】
【０００６】
以下に本発明の実施の形態を添付した図面を参照して詳細に説明する。
図１は、本発明のシステム構成図を示している。インターネット対応の携帯電話端末２は、これのコンピュータの記憶装置に格納された種々の実行プログラムにより、さまざまな機能例えばメールの送信者を電話帳に登録する機能、アラーム時刻を設定する機能、撮影画像のサイズの変更等の機能を備えている。
【０００７】
携帯電話端末２は、これらの機能中でどの機能をどのくらいの頻度で使っているかの情報を、バックグラウンドで動作する仕組みで、端末のコンピュータの実行履歴格納部に記憶する。携帯電話端末２のコンピュータに記憶したこの頻度情報は、後述する、なんらかのタイミングでインターネット４上に提供された電話会社などのセンターの情報処理サイトを構築するサーバーコンピュータ６に送信される。サーバーコンピュータ６は、多数のユーザーからこのデータを収集する仕組み（プログラム）を持っている。
【０００８】
電話会社などのサプライヤーは、この収集データを活用することができる。携帯電話端末２から頻度情報を送るタイミングとしては、機能使用頻度合計数や最大数が一定に達したとき、あるいはユーザーが携帯電話端末２の電源をＯＮしたとき、あるいは、ユーザーが携帯電話端末２をインターネットに接続したとき等が設定されている。また、携帯電話端末２から頻度情報を電話会社などの特定サイトに送るとき、パケット使用料が発生するので、ユーザーが頻度情報を送る前に、携帯電話端末２の画面に「ＯＫか否」かの確認のメッセージが表示される。
【０００９】
このときずっと送らないというモードも設定でき、今後送るモードにも設定できる。また、ユーザーが頻度情報を送信することに同意したときは、携帯電話端末２の画面に「ご協力ありがとうございました」のメッセージと、「所定のポイントを加算させていただきます」などの特典の内容が表示される。図２は、本発明の機能ブロック説明図を示し、携帯電話端末２のコンピュータは、内蔵されたプログラムにより、制御部８、メニュー制御部１０、実行処理部１２、実行履歴管理部１４、実行プログラム格納部１６、実行履歴格納部１８、使用者選択情報格納部２０とから構成されている。
【００１０】
実行プログラム格納部１６には、図３に示すように、各種の機能を実施するための実行プログラムの名称と、これら実行プログラムに個別に付したＩＤ番号と、各実行プログラムの起動アドレス等の制御情報からなる実行プログラム格納データ２６が格納されている。実行履歴格納部１８には、図４に示すように、各機能を実施する実行プログラムに個別に付与されたＩＤ番号と、ＩＤ番号に対応する実行プログラムを実行した回数を示す実行頻度データとからなる実行履歴格納データ２２が格納されている。使用者選択情報格納部２０には、図５に示すように、実行履歴に保存するか否かのデータと実行履歴を送信するタイミングを設定したデータとからなる使用者選択情報格納データ２４が格納されている。
【００１１】
図５に示す、使用者選択情報格納データ２４では、頻度情報即ち実行履歴の送信のタイミングとして、１ヶ月ごとに送信し、次の日時は、９月１日とした例が示されている。ユーザーは、その他送信のタイミングとして、使用頻度の最大数や、合計数を設定し、これらが、一定数に達したとき、送信するように設定することができる。図５に示すデータはユーザーの選択によって設定するように構成されている。図６は、実行履歴を保存するか否かを設定するときの動作を示すフローチャートを示している。
【００１２】
実行履歴管理部１４のＮｏ．１の動作がスタートすると（ステップ１）、各機能の実施回数を記録するか否かを携帯電話端末２の画面を通じて使用者に問い合わせる（ステップ２）。次に承諾か否かを端末２からの使用者からのキー入力により判断し（ステップ３）、肯定を判断すると、図５に示す、使用者選択情報格納データ２４の「実行履歴を保存／否」のメモリを”１”に設定し（ステップ４）、使用者の選択に従い、収集した実行履歴を送信するタイミングを設定し、使用者選択情報格納データ２４に記録する（ステップ５）。
【００１３】
前記タイミングの設定は、図５に示すように、どれかの実行／ＩＤの実施回数が設定値に達したときを送信のタイミングの基準とするときは、「到達頻度最大数」メモリが”１”即ち「Ｙｅｓ」に設定され、「到達設定値」にその数値が登録される。あるいは、すべての実行ＩＤの実施回数の合計値が設定値に達したときを送信のタイミングの基準とするときは、「頻度合計値」メモリが”１”即ち「Ｙｅｓ」に設定され、その下の「到達設定値」に合計値の数値が登録される。あるいは、設定時期に到達したときを送信のタイミングとするときは、「送信時期」メモリが”１”即ち「Ｙｅｓ」に設定され、「間隔設定値」にその数値が登録される。
【００１４】
これらは使用者の選択に従い、使用者選択情報格納データ２４の初期値の設定及び設定データの更新が行われる。ステップ３で否定を判断したときは、「実行履歴を保存／否」のメモリを”０”即ち”Ｎｏ”に設定する（ステップ６）。図７は、実行履歴を送信するときの動作を示すフローチャートを示している。実行履歴管理部１４Ｎｏ．２がスタートすると（ステップ１）、該実行履歴管理部１４は、使用者選択情報格納データ２４に基づいて、送信のタイミングが頻度最大数か否か判断する（ステップ２）。「到達頻度最大数」メモリが”１”のときは、肯定を判断する。
【００１５】
次に「到達設定値」メモリの値と、実行履歴格納データ２２の実行頻度の値とから、頻度最大数が設定値に達したか否か判断し（ステップ５）、肯定を判断すると、次に、携帯電話端末２の画面を通じて、実行履歴情報をセンター即ち電話会社の、サイトを運営するサーバーコンピュータ６に送信してよいかどうかを使用者に問い合わせる（ステップ９）。次に、使用者から携帯電話端末２に入力されたデータに基づいて、前記問い合わせに対して承諾か否か判断し（ステップ１０）、肯定を判断すると、次に実行履歴格納部１８に格納されている実行履歴格納データ２２をセンター即ちサーバーコンピュータ６に送信する（ステップ１１）。
【００１６】
次に、操作者（使用者）に対して、携帯電話端末２の画面を通じて、予め作成してあるメッセージを表示する（ステップ１２）。次に、実行履歴管理部１４Ｎｏ．２は、実行履歴格納部１８に格納されている実行履歴情報をクリアーし（ステップ１３）、処理を終了する。前記ステップ５で否定を判断したときは、処理を終了する。ステップ１０で否定を判断したときは、ステップ１３に移行する。ステップ２で否定を判断したときは、次に、送信のタイミングは頻度合計数か否か判断し（ステップ３）、肯定を判断すると、次に、頻度合計数が設定値に達したか否か判断する（ステップ６）。
【００１７】
肯定を判断すると、ステップ９に移行し、以降、ステップ１０，１１，１２，１３の順で処理される。ステップ６で否定を判断したときは、処理を終了する。ステップ３で否定を判断したときは、次に、使用者選択情報格納データ２４に基づいて、送信のタイミングは設定期日か否か判断し（ステップ４）、肯定を判断すると、次に、現在は設定期日か否か判断する（ステップ７）。ステップ７で肯定を判断すると、ステップ９に移行し、使用者選択情報格納データ２４の「次の時期」のメモリを次の設定期日に変更する。ステップ９に移行すると、以降、ステップ１０，１１，１２，１３の順で処理が行われる。ステップ７で否定を判断したときは、処理を終了する。
次に、図８を参照して制御部８の動作について説明する。
【００１８】
制御部８がスタートすると（ステップ１）、メニュー制御部１０で使用の選択指示により、即ち、携帯電話端末２の画面に表示されるメニューの中から使用者が選択した指示により、実行処理を決定する（ステップ２）。次に、その実行処理が、実行履歴の初期設定か否か判断し（ステップ３）、肯定を判断すると、図６の、前述した実行履歴管理部１４Ｎｏ．１の処理に移行し（ステップ４）、その後、ステップ２に戻る。ステップ３で否定を判断すると、次に、機能の実行か否か判断し（ステップ５）、肯定を判断すると、次に、使用者選択情報格納部２０に格納されたデータ２４の「実行履歴保存／否」メモリの設定値は、”１”か否か判断する（ステップ６）。
【００１９】
肯定を判断すると、次に、図４に示す、実行履歴格納データ２２中の該当機能の「実行頻度」を１加算する（ステップ７）。次に、図７に示す、実行履歴管理部１４Ｎｏ．２の処理を実行する（ステップ８）。次に、実行プログラム格納データ２６に基づいて、該当機能を実施するための実行プログラムを起動し、実行処理部１２によって該当機能の実行処理を行い（ステップ９）、ステップ２に戻る。
【００２０】
ステップ６で否定を判断したときは、ステップ９に移行する。ステップ５で否定を判断すると、その他の処理を行い（ステップ１０）、ステップ２に戻る。上記の説明から明らかなように、制御部８は、携帯電話端末２の各種機能を実施するための実行プログラムを実行するごとに、該当実行プログラムの使用回数に１を加算する使用回数カウント手段を備えている。
【図面の簡単な説明】
【００２１】
【図１】本発明のシステム構成図である。
【図２】本発明の機能ブロック説明図である。
【図３】実行プログラム格納データの説明図である。
【図４】実行履歴格納データの説明図である。
【図５】使用者選択情報格納データの説明図である。
【図６】本発明の動作を示すフローチャートである。
【図７】本発明の動作を示すフローチャートである。
【図８】本発明の動作を示すフローチャートである。
【符号の説明】
【００２２】
２      携帯電話端末
４      インターネット
６      サーバーコンピュータ
８      制御部
１０    メニュー制御部
１２    実行処理部
１４    実行履歴管理部
１６    実行プログラム格納部１６
１８    実行履歴格納部
２０    使用者選択情報格納部
２２    実行履歴格納データ
２４    使用者選択情報格納データ
２６    実行プログラム格納データ
【図１】
2007228109.tif 000003
【図２】
2007228109.tif 000004
【図３】
2007228109.tif 000005
【図４】
2007228109.tif 000006
【図５】
2007228109.tif 000007
【図６】
2007228109.tif 000008
【図７】
2007228109.tif 000009
【図８】
2007228109.tif 000010